(57)【要約】【課題】  ピックアップのオフセンター調整や高さ調整を行っても、リードスクリューの回転運動を直線運動に変換する部材をリードスクリューに対して付勢する付勢力が殆ど変化しないディスク駆動装置を提供する。【解決手段】  ベースに固定されたスピンドルモータ２と、ベースに固定されたガイド軸４、５によりガイドされたピックアップ３と、フィードモータ６と、フィードモータにより回転駆動されるリードスクリュー７と、リードスクリューの螺旋状の溝に係合する略直線状の歯を有するナット部材８と、ナット部材の歯をリードスクリューに対して付勢する板バネとを備え、ナット部材を、その歯がディスクの記録面と略平行となるように配置すると共に一方のガイド軸の軸線まわりに回転可能でかつ軸方向に摺動可能に支持させ、板バネはナット部材の歯をリードスクリューに対してディスクの記録面と略直交する方向に付勢するように構成されている。【選択図】      図１
2006344326.tif 000002
【特許請求の範囲】
【請求項１】
ベースに固定され、ディスクを回転駆動するスピンドルモータと、前記ベースに固定された二本のガイド軸により前記ディスクの径方向に移動可能にガイドされ、前記ディスクに対して情報の記録と再生、又はいずれか一方を行うピックアップと、前記ピックアップを前記ガイド軸に沿って駆動するためのフィードモータと、前記フィードモータにより軸線まわりに回転駆動され、外周部に螺旋状の溝を有するリードスクリューと、前記ピックアップに対してフィード方向に移動しないように位置決めされ、前記リードスクリューの螺旋状の溝に係合する略直線状の歯を有し、前記リードスクリューの回転運動を前記ピックアップの前記ガイド軸に沿う直線運動に変換する変換部材と、前記変換部材に設けられ、前記変換部材の歯を前記リードスクリューに対して付勢する付勢部材と、を備えたディスク駆動装置であって、
前記変換部材を、前記歯が前記ディスクの記録面と略平行となるように配置すると共に、一方のガイド軸に対して軸線まわりに回転可能で且つ軸方向に摺動可能に支持させ、前記付勢部材は、前記変換部材の歯との間に前記リードスクリューを挟み込むと共に、前記変換部材の歯を前記リードスクリューに対して前記ディスクの記録面と略直交する方向に付勢するように構成されたことを特徴とするディスク駆動装置。
【請求項２】
ベースに固定され、ディスクを回転駆動するスピンドルモータと、前記ベースに固定された二本のガイド軸により前記ディスクの径方向に移動可能にガイドされ、前記ディスクに対して情報の記録と再生、又はいずれか一方を行うピックアップと、前記ピックアップを前記ガイド軸に沿って駆動するためのフィードモータと、前記フィードモータにより軸線まわりに回転駆動され、外周部に螺旋状の溝を有するリードスクリューと、前記ピックアップに対してフィード方向に移動しないように位置決めされ、前記リードスクリューの螺旋状の溝に係合する略直線状の歯を有し、前記リードスクリューの回転運動を前記ピックアップの前記ガイド軸に沿う直線運動に変換する変換部材と、前記変換部材に設けられ、前記変換部材の歯を前記リードスクリューに対して付勢する付勢部材と、を備えたディスク駆動装置であって、
前記変換部材を、前記歯が前記ディスクの記録面と略平行となるように配置すると共に、一方のガイド軸に対して軸線まわりに回転可能で且つ接触しないように前記ピックアップに係合させ、前記付勢部材は、前記変換部材の歯との間に前記リードスクリューを挟み込むと共に、前記変換部材の歯を前記リードスクリューに対して前記ディスクの記録面と略直交する方向に付勢するように構成されたことを特徴とするディスク駆動装置。
【請求項３】
前記ピックアップは、前記一方のガイド軸に対して軸方向に摺動可能に係合する二つの軸受けを有し、前記変換部材は、前記二つの軸受けの間に配置されると共に、そのフィード方向両端部の少なくとも一方にはフィード方向に突出した凸部が設けられ、前記二つの軸受けの少なくとも一方には前記凸部が回転可能に係合する係合凹部が設けられたことを特徴とする請求項２記載のディスク駆動装置。
【請求項４】
ベースに固定され、ディスクを回転駆動するスピンドルモータと、前記ベースに固定された二本のガイド軸により前記ディスクの径方向に移動可能にガイドされ、前記ディスクに対して情報の記録と再生、又はいずれか一方を行うピックアップと、前記ピックアップを前記ガイド軸に沿って駆動するためのフィードモータと、前記フィードモータにより軸線まわりに回転駆動され、外周部に螺旋状の溝を有するリードスクリューと、前記ピックアップに対してフィード方向に移動しないように位置決めされ、前記リードスクリューの螺旋状の溝に係合する略直線状の歯を有し、前記リードスクリューの回転運動を前記ピックアップの前記ガイド軸に沿う直線運動に変換する変換部材と、前記変換部材に設けられ、前記変換部材の歯を前記リードスクリューに対して付勢する付勢部材と、を備えたディスク駆動装置であって、
前記変換部材は、前記リードスクリューを前記歯との間に挟み込む規制部を備え、この規制部は、落下時の衝撃により前記歯が前記リードスクリューから外れないように前記リードスクリューの移動を規制することを特徴とするディスク駆動装置。
【発明の詳細な説明】
【技術分野】
【０００１】
本発明は、ディスクに対して情報の記録と再生、又はいずれか一方を行うピックアップをディスクの径方向に駆動するピックアップフィード機構を備えたディスク駆動装置に関する。
【背景技術】
【０００２】
図１２は従来例１のディスク駆動装置のピックアップフィード機構の斜視図、図１３は図１２のピックアップフィード機構の側面断面図である。
【０００３】
これらの図において、１０１はディスク（図示せず）に対して情報の記録と再生を行うピックアップで、ベース（図示せず）に固定された二本のガイド軸１０２（一方のみ図示）によりディスクの径方向に移動可能にガイドされ、一方のガイド軸１０２に対して軸方向に摺動可能に係合する二つの軸受け１０１ａ、１０１ｂを有している。
【０００４】
１０３はピックアップ１０１をガイド軸１０２に沿って駆動するためのフィードモータで、その回転軸にはリードスクリュー１０４が連結され、このリードスクリュー１０４は外周部に螺旋状の溝１０４ａを有している。ピックアップ１０１にはナット部材１０５が固定され、このナット部材１０５は、リードスクリュー１０４の螺旋状の溝１０４ａに係合する略直線状の歯１０５ａを複数本有しており、リードスクリュー１０４の回転運動をピックアップ１０１のガイド軸１０２に沿う直線運動に変換する。フィードモータ１０３を駆動すると、ピックアップ１０１がガイド軸１０２に沿って摺動し、ディスクに対して情報の記録と再生を行う。
【０００５】
ナット部材１０５の歯１０５ａはプレート状の部分１０５ｂの一方の面に形成され、このプレート状の部分１０５ｂはディスクの記録面と略垂直で、ナット部材１０５の本体１０５ｃに対して弾性変形可能なヒンジ部１０５ｄを介して支持され、スプリング１０６によって、ディスクの記録面と略平行で且つガイド軸１０２と略垂直な方向（矢印Ｅ方向）に付勢されている。
【０００６】
図１４は従来例２（特開平０１−２５３６７号）のディスク駆動装置のピックアップフィード機構の平面図、図１５は図１４のＧ部拡大図、図１６は図１５のＨ方向矢視図、図１７は図１５のＩ−Ｉ線断面図である。なお、上記従来例１と同一又は類似の部分には同一の符号を付してあり、重複する説明は省略してある。
【０００７】
この機構では、リードスクリュー１０４の溝１０４ａと係合するピン１０７をピックアップ１０１に取り付け、板バネ１０８をピン１０７との間にリードスクリュー１０４を挟み込むようにピックアップ１０１に取り付け、板バネ１０８のリードスクリュー１０４に対する押圧力を調整する手段を設けることにより、フィードモータ１０３の脱調を防止している。
【特許文献１】特開平０１−２５３６７号公報
【発明の開示】
【発明が解決しようとする課題】
【０００８】
上記従来例１のピックアップフィード機構は、ピックアップ１０１のオフセンター調整を行うと、ナット部材１０５はピックアップ１０１と共に矢印Ｆ方向（図１３参照）に移動し、リードスクリュー１０４とピックアップ１０１との距離が変化してスプリング１０６の付勢力が変化する。そのため、スプリング１０６の付勢力が小さい場合には、ナット部材１０５の歯１０５ａがリードスクリュー１０４から外れ易くなり、逆にスプリング１０６の付勢力が大きい場合には、フィードモータ１０３の負荷が増加するという問題点が有った。
【０００９】
また、上記従来例２のピックアップフィード機構は、ピックアップ１０１が一本のガイド軸１０２とリードスクリュー１０４とによりフィード方向に摺動可能にガイドされており、従来例１のように、ピックアップが二本のガイド軸でガイドされているものとは異なる。
【００１０】
また、このような機構では、ピックアップ１０１のオフセンター調整を行う場合には板バネ１０８のリードスクリュー１０４に対する押圧力は変化しないものの、高さ調整を行う場合には板バネ１０８の押圧力が変化する。そのため、板バネ１０８の押圧力を調整する必要が生じ、作業に手間がかかることになる。
【００１１】
本発明は上述した問題点に鑑みてなされたものであり、その目的は、ピックアップのオフセンター調整や高さ調整を行う場合に、リードスクリューの回転運動を直線運動に変換する部材をリードスクリューに対して付勢する付勢力が殆ど変化しないディスク駆動装置を提供することにある。
【００１２】
ところで、上述したようなピックアップフィード機構を備えたディスク駆動装置をムービー等の携帯型電子機器に搭載する場合、落下により筐体に衝撃が加わってピックアップに大きな慣性力が働くことを想定する必要がある。
【００１３】
すなわち、この慣性力によりリードスクリューの溝に係合している部材がリードスクリューから外れてピックアップがフィード方向に移動し、ピックアップに衝突による過大な衝撃力が加わってピックアップが損傷する恐れがあるからである。
【００１４】
そこで、本発明の他の目的は、落下時の衝撃によってピックアップが損傷しないようにしたディスク駆動装置を提供することにある。
【課題を解決するための手段】
【００１５】
上記目的を達成するために、本発明に係る第１のディスク駆動装置は、ベースに固定され、ディスクを回転駆動するスピンドルモータと、前記ベースに固定された二本のガイド軸により前記ディスクの径方向に移動可能にガイドされ、前記ディスクに対して情報の記録と再生、又はいずれか一方を行うピックアップと、前記ピックアップを前記ガイド軸に沿って駆動するためのフィードモータと、前記フィードモータにより軸線まわりに回転駆動され、外周部に螺旋状の溝を有するリードスクリューと、前記ピックアップに対してフィード方向に移動しないように位置決めされ、前記リードスクリューの螺旋状の溝に係合する略直線状の歯を有し、前記リードスクリューの回転運動を前記ピックアップの前記ガイド軸に沿う直線運動に変換する変換部材と、前記変換部材に設けられ、前記変換部材の歯を前記リードスクリューに対して付勢する付勢部材と、を備えたディスク駆動装置であって、前記変換部材を、前記歯が前記ディスクの記録面と略平行となるように配置すると共に、一方のガイド軸に対して軸線まわりに回転可能で且つ軸方向に摺動可能に支持させ、前記付勢部材は、前記変換部材の歯との間に前記リードスクリューを挟み込むと共に、前記変換部材の歯を前記リードスクリューに対して前記ディスクの記録面と略直交する方向に付勢するように構成されたことを特徴としている。
【００１６】
また、本発明に係る第２のディスク駆動装置は、ベースに固定され、ディスクを回転駆動するスピンドルモータと、前記ベースに固定された二本のガイド軸により前記ディスクの径方向に移動可能にガイドされ、前記ディスクに対して情報の記録と再生、又はいずれか一方を行うピックアップと、前記ピックアップを前記ガイド軸に沿って駆動するためのフィードモータと、前記フィードモータにより軸線まわりに回転駆動され、外周部に螺旋状の溝を有するリードスクリューと、前記ピックアップに対してフィード方向に移動しないように位置決めされ、前記リードスクリューの螺旋状の溝に係合する略直線状の歯を有し、前記リードスクリューの回転運動を前記ピックアップの前記ガイド軸に沿う直線運動に変換する変換部材と、前記変換部材に設けられ、前記変換部材の歯を前記リードスクリューに対して付勢する付勢部材と、を備えたディスク駆動装置であって、前記変換部材を、前記歯が前記ディスクの記録面と略平行となるように配置すると共に、一方のガイド軸に対して軸線まわりに回転可能で且つ接触しないように前記ピックアップに係合させ、前記付勢部材は、前記変換部材の歯との間に前記リードスクリューを挟み込むと共に、前記変換部材の歯を前記リードスクリューに対して前記ディスクの記録面と略直交する方向に付勢するように構成されたことを特徴としている。
【００１７】
また、本発明に係る第３のディスク駆動装置は、ベースに固定され、ディスクを回転駆動するスピンドルモータと、前記ベースに固定された二本のガイド軸により前記ディスクの径方向に移動可能にガイドされ、前記ディスクに対して情報の記録と再生、又はいずれか一方を行うピックアップと、前記ピックアップを前記ガイド軸に沿って駆動するためのフィードモータと、前記フィードモータにより軸線まわりに回転駆動され、外周部に螺旋状の溝を有するリードスクリューと、前記ピックアップに対してフィード方向に移動しないように位置決めされ、前記リードスクリューの螺旋状の溝に係合する略直線状の歯を有し、前記リードスクリューの回転運動を前記ピックアップの前記ガイド軸に沿う直線運動に変換する変換部材と、前記変換部材に設けられ、前記変換部材の歯を前記リードスクリューに対して付勢する付勢部材と、を備えたディスク駆動装置であって、前記変換部材は、前記リードスクリューを前記歯との間に挟み込む規制部を備え、この規制部は、落下時の衝撃により前記歯が前記リードスクリューから外れないように前記リードスクリューの移動を規制することを特徴としている。
【発明の効果】
【００１８】
第１及び第２のディスク駆動装置によれば、ピックアップのオフセンター調整や高さ調整を行う場合に、リードスクリューに対する付勢部材の付勢力が殆ど変化しないので、変換部材の歯がリードスクリューから外れ易くなったり、フィードモータの負荷が増加したりすることがない。
【００１９】
第３のディスク駆動装置によれば、落下時の衝撃によりナット部材の歯がリードスクリューから外れることがないため、ピックアップがフィード方向に移動することがなく、ピックアップに衝突による過大な衝撃力が作用してピックアップが損傷することがない。
【発明を実施するための最良の形態】
【００２０】
以下、本発明の一実施形態を図面に基づいて説明する。図１は本発明の第１の実施形態のディスク駆動装置のトラバースメカの斜視図、図２は図１のトラバースメカのピックアップフィード機構の拡大斜視図、図３は図２の要部拡大図、図４は図２のピックアップフィード機構の分解斜視図、図５は図２のピックアップフィード機構の側面図である。
【００２１】
図１乃至図３に示すように、本実施形態のトラバースメカは、ベース１に固定され、ディスク（図示せず）を回転駆動するスピンドルモータ２を備えている。
【００２２】
３はディスクに対して情報の記録と再生を行うピックアップで、ベース１に固定された二本のガイド軸４、５によりディスクの径方向に移動可能にガイドされ、一方のガイド軸４に対して軸方向に摺動可能に係合する二つの軸受け３ａ、３ｂを有している。
【００２３】
ガイド軸４、５は、ピックアップ３のオフセンター調整（図５のＡ方向の調整）と高さ調整（図５のＢ方向の調整）とを行うことができるようにベース１に取り付けられている。
【００２４】
６はピックアップ３をガイド軸４、５に沿って駆動するためのフィードモータで、その回転軸にはリードスクリュー７が連結されており、このリードスクリュー７は外周部に螺旋状の溝７ａを有している。
【００２５】
ガイド軸４にはナット部材８（変換部材）が取り付けられ、このナット部材８は、リードスクリュー７の螺旋状の溝７ａに係合する略直線状の歯８ａ（図４参照）を複数本有しており、リードスクリュー７の回転運動をピックアップ３のガイド軸４、５に沿う直線運動に変換する。フィードモータ６を駆動すると、ピックアップ３がガイド軸４、５に沿って摺動し、ディスクに対して情報の記録と再生を行う。
【００２６】
図４に示すように、ナット部材８の歯８ａはプレート状の部分８ｂの一方の面に形成されている。ナット部材８は、ピックアップ３の二つの軸受け３ａ、３ｂの間において、歯８ａがディスクの記録面と略平行となるように配置されると共に、一方のガイド軸４に対して軸線まわりに回転可能で且つ軸方向に摺動可能に支持されている。
【００２７】
ナット部材８の上面には、略Ｌ字形の板バネ９（付勢部材）が、歯８ａとの間にリードスクリュー７を挟み込むように取り付けられている（図５参照）。この板バネ９は一端側に第１のスプリング部９ａを有しており、この第１のスプリング部９ａによりナット部材８の歯８ａがリードスクリュー７に対してディスクの記録面と略直交する方向に付勢されている。
【００２８】
また、板バネ９は他端側に第２のスプリング９ｂを有しており、この第２のスプリング部９ｂによりナット部材８が一方の軸受け３ａに向けて付勢され、ピックアップ３に対してフィード方向に移動しないように位置決めされている。
【００２９】
このような構成によれば、ピックアップ３のオフセンター調整を行う場合、ナット部材８は、ピックアップ３及びガイド軸４と共に図５の矢印Ａ方向に移動することになるが、ナット部材８の歯８ａは矢印Ａ方向と略平行な矢印Ｃ方向に移動するため、板バネ９の第１のスプリング部９ａの撓み量が殆ど変化しない。
【００３０】
したがって、歯８ａをリードスクリュー７に対して付勢する付勢力が小さくなって歯８ａがリードスクリュー７から外れ易くなったり、逆に付勢力が大きくなってフィードモータ６の負荷が増加したりすることがない。
【００３１】
また、ピックアップ３の高さ調整を行う場合には、ピックアップ３とガイド軸４がナット部材８と共に矢印Ｂ方向に移動することになるが、ナット部材８は、ガイド軸４の軸線まわりに矢印Ｄ方向に回転可能であるため、板バネ９の第１のスプリング部９ａの撓み量が変化せず、第１のスプリング部９ａによる付勢力が変化しない。したがって、オフセンター調整の場合と同様に、ナット部材８の歯８ａをリードスクリュー７に対して付勢する付勢力が小さくなって歯８ａがリードスクリュー７から外れ易くなったり、逆に付勢力が大きくなってフィードモータ６の負荷が増加したりすることがない。
【００３２】
また、本実施形態では、図３及び図５に示すように、ナット部材８に、リードスクリュー７を歯８ａとの間に挟み込む一対のＬ字形の規制部８ｃを設けている。この規制部８ｃとリードスクリュー７との間隔Ｌは歯８ａの高さよりも小さくなっており、落下時の衝撃が加わっても歯８ａがリードスクリュー７から外れることがない。
【００３３】
したがって、落下時にピックアップ３がフィード方向に移動してストッパ１０乃至１３（図１参照）に衝突することがなく、ピックアップ３に衝突による過大な衝撃力が加わって損傷するのを防止することができる。また、板バネ９に過大な衝撃力が加わって損傷するのを防止することもできる。
【００３４】
次に、本発明の第２の実施形態を説明する。図６は第２の実施形態のトラバースメカのピックアップフィード機構の拡大斜視図、図７、図８は図６のピックアップフィード機構の分解斜視図である。なお、以下の各実施形態において、第１の実施形態と同一の部分には同一の符号を付してあり、重複する説明は省略してある。
【００３５】
本実施形態では、図７に示すように、ナット部材８’が、その一端側からガイド軸４と同軸になるようにフィード方向に突出した円環状の凸部８ｄを有しており、その内径はガイド軸４の直径よりも大きくなっている。そして、図８に示すように、ピックアップ３’の一方の軸受け３ａには、この凸部８ｄが軸線回りに回転可能に係合する断面円形の係合凹部３ｃが設けられている。これに対して、他方の軸受け３ｂ側には、第１の実施形態と同様にナット部材８’が接している。
【００３６】
これにより、第１の実施形態と同様に、ナット部材８’はガイド軸４の軸線まわりに回転可能であるが、本実施形態ではナット部材８’の軸受け３ａ側はガイド軸４に接触しないで回転する。また、第１の実施形態と同様に、ナット部材８’は、板バネ９（図６参照）により、係合凹部３ｃが設けられた軸受け３ａに付勢され、ピックアップ３’に対してフィード方向に位置決めされている。
【００３７】
第１の実施形態では、ナット部材８はガイド軸４に対して回転可能に支持され、フィード方向についてもガイド軸４に摺動可能に支持されているのに対して、第２の実施形態では、ナット部材８’の軸受け３ａ側は、ピックアップ３’に対して回転可能に支持されており、ガイド軸４と摺動することはない。
【００３８】
フィード駆動を行う時には、ナット部材８’にリードスクリュー７からの駆動力が伝わるとモーメント力が発生するが、第１の実施形態では、このモーメント力により、ナット部材８とガイド軸４との間に摩擦力が発生し、ナット部材８の摺動性が悪化する恐れがある。
【００３９】
本実施形態では、ナット部材８’は、一方の軸受け３ａ側がピックアップ３’に対して回転可能に支持され、ガイド軸４と摺動することはないため、ガイド軸４との間の摩擦力が軽減され、フィード駆動を行う際に摺動性の悪化を少なくすることができる。
【００４０】
次に、本発明の第３の実施形態を説明する。図９は第３の実施形態のピックアップフィード機構の拡大斜視図、図１０、図１１は図９のピックアップフィード機構の分解斜視図である。
【００４１】
第２の実施形態では、図６乃至図８に示すように、ナット部材８’の一端にガイド軸４と同軸の円環状の凸部８ｄが設けられ、ピックアップ３’の一方の軸受け３ａに、この凸部８ｄが回転可能に係合する断面円形の係合凹部３ｃが設けられ、ナット部材８’は板バネ９の第２のスプリング部９ｂにより軸受け３ａに付勢されてフィード方向の位置決めが行われている。
【００４２】
本実施形態では、第２の実施形態の凸部８ｄ及び係合凹部３ｃに加えて、図１１に示すように、ナット部材８’’の他端にもガイド軸４と同軸の円環状の凸部８ｅが設けられ、図１０に示すようにピックアップ３’’の他方の軸受け３ｂに、この凸部８ｅが回転可能に嵌合する係合凹部３ｄが設けられている。なお、凸部８ｅはガイド軸４と同軸で、その内径はガイド軸４の直径より大きくなっている。
【００４３】
このように、ナット部材８’’の両端をピックアップ３’’に回転可能に支持させ、フィード駆動によるモーメント力を、ナット部材８’’の両端において、ピックアップ３’’で受けるようにすることで、このモーメント力でナット部材８’’とガイド軸４とが接触するのを防ぐことができるため、ナット部材８’’の摺動性が悪化するのをより確実に防ぐことができる。
【００４４】
なお、係合凹部３ｃ、３ｄが両方とも断面円形であると、ナット部材８’’のピックアップ３’’への組み付けができないが、係合凹部３ｃを断面Ｕ字形とすることで、ナット部材８’’の一端側の凸部８ｄを上方から係合凹部３ｃに挿入することができる。
【００４５】
一方、係合凹部３ｃを断面Ｕ字形とすると、凸部８ｄが係合凹部３ｃから外れる恐れが有るが、板バネ９’のスプリング部９ｂ’で、ナット部材８’’の当接部８ｆを押圧することにより、凸部８ｄを係合凹部３ｃに対して付勢し、係合凹部３ｃから外れるのを防いでいる。
【００４６】
また、板バネ９’のスプリング部９ｂ’はナット部材８’’の当接部８ｆを斜めに押圧することでフィード方向にも押圧力を発生しており、ナット部材８’’をピックアップ３’’に対してフィード方向に位置決めしている。
【００４７】
なお、ナット部材８’’の歯８ａを板バネ９’によりリードスクリュー７に対して付勢する機構の構造は第２の実施形態と同様である。
【００４８】
以上、具体例を挙げて本発明の一実施形態を説明したが、本発明は上記の各実施形態に限定されるものではない。
【００４９】
例えば、上記実施形態では、ピックアップがディスクに対して情報の記録と再生を行うものである場合について説明したが、ピックアップは、情報の記録と再生のいずれか一方を行うものであってもよい。
【００５０】
その他にも、本発明の要旨を逸脱しない範囲で上記の各実施形態に種々の改変を施すことができる。
【００５１】
なお、本発明は、ＤＶＤ、ブルーレイディスク等の高記録密度のディスクを用いる携帯型電子機器に適用すると特に有効である。
【００５２】
この種の機器は、ディスクの記録密度が高いため、ピックアップのオフセンター調整や高さ調整を高精度に行う必要がある。
【００５３】
また、この種の機器は、低消費電力、小型軽量である点が特に要求されるため、据置型の機器に使用されるような大きなフィードモータを使用するのは好ましくなく、小型でトルクが小さいフィードモータを使用することが多いが、そのようなモータでも高い信頼性で動作するような機構が望まれる。
【００５４】
また、携帯型電子機器の場合、通常の使用方法以外に、ユーザがどのような向きで使用するかわからないので、例えばピックアップが上向きに移動するような状況での使用も想定する必要がある。
【００５５】
したがって、フィードモータの負荷の変動量を極力小さくして設計値に近い値で使用できるようにすることが、動作時の信頼性を確保する上で重要である。
【００５６】
本発明によれば、ピックアップの位置調整を行ってもフィードモータの負荷が殆ど変化せず、設計時の想定範囲内から逸脱することがないため、高い信頼性を確保することができる。
【００５７】
上記の各実施形態によれば、ピックアップのオフセンター調整や高さ調整を行う場合に、リードスクリューに対する付勢部材の付勢力が殆ど変化しないので、変換部材の歯がリードスクリューから外れ易くなったり、フィードモータの負荷が増加したりすることがない。
【００５８】
また、上記の各実施形態によれば、落下時の衝撃によりナット部材の歯がリードスクリューから外れることがないため、ピックアップがフィード方向に移動することがなく、ピックアップに衝突による過大な衝撃力が作用してピックアップが損傷することがない。
【図面の簡単な説明】
【００５９】
【図１】本発明の第１の実施形態のディスク駆動装置のトラバースメカの斜視図である。
【図２】図１のトラバースメカのピックアップフィード機構の拡大斜視図である。
【図３】図２の要部拡大図である。
【図４】図２のピックアップフィード機構の分解斜視図である。
【図５】図２のピックアップフィード機構の側面図である。
【図６】本発明の第２の実施形態のトラバースメカのピックアップフィード機構の拡大斜視図である。
【図７】図６のピックアップフィード機構の分解斜視図である。
【図８】図６のピックアップフィード機構の分解斜視図である。
【図９】本発明の第３の実施形態のピックアップフィード機構の拡大斜視図である。
【図１０】図９のピックアップフィード機構の分解斜視図である。
【図１１】図９のピックアップフィード機構の分解斜視図である。
【図１２】従来例１のディスク駆動装置のピックアップフィード機構の斜視図である。
【図１３】図１２のピックアップフィード機構の側面断面図である。
【図１４】従来例２のディスク駆動装置のピックアップフィード機構の平面図である。
【図１５】図１４のＧ部拡大図である。
【図１６】図１５のＨ方向矢視図である。
【図１７】図１５のＩ−Ｉ線断面図である。
【符号の説明】
【００６０】
２  スピンドルモータ
３  ピックアップ
３ａ、３ｂ  軸受け
３ｃ、３ｄ  係合凹部
４  ガイド軸
５  ガイド軸
６  フィードモータ
７  リードスクリュー
７ａ  螺旋状の溝
８、８’、８’’  ナット部材（変換部材）
８ｃ  規制部
８ｄ、８ｅ  凸部
９、９’  板バネ（付勢部材）
【図１】
2006344326.tif 000003
【図２】
2006344326.tif 000004
【図３】
2006344326.tif 000005
【図４】
2006344326.tif 000006
【図５】
2006344326.tif 000007
【図６】
2006344326.tif 000008
【図７】
2006344326.tif 000009
【図８】
2006344326.tif 000010
【図９】
2006344326.tif 000011
【図１０】
2006344326.tif 000012
【図１１】
2006344326.tif 000013
【図１２】
2006344326.tif 000014
【図１３】
2006344326.tif 000015
【図１４】
2006344326.tif 000016
【図１５】
2006344326.tif 000017
【図１６】
2006344326.tif 000018
【図１７】
2006344326.tif 000019